(57)【要約】  通信技術分野に属する干渉処理方法、装置、システム、及び記憶媒体が開示される。前記方法は、セルのダウンリンク基準信号受信電力ＲＳＲＰ境界値を決定するステップと、ユーザ機器ＵＥによって報告されたダウンリンクＲＳＲＰ測定値を受信するステップと、前記ダウンリンクＲＳＲＰ測定値が前記ダウンリンクＲＳＲＰ境界値よりも小さい場合、前記ＵＥをセルから移出するステップと、を含む。
2021519036.tif 000002
【特許請求の範囲】
【請求項１】
第１の通信ノードに適用される干渉処理方法であって、
セルのダウンリンク基準信号受信電力ＲＳＲＰ境界値を決定するステップと、
ユーザ機器ＵＥによって報告されたダウンリンクＲＳＲＰ測定値を受信するステップと、
前記ダウンリンクＲＳＲＰ測定値が前記ダウンリンクＲＳＲＰ境界値よりも小さい場合、前記ＵＥをセルから移出するステップと、を含む干渉処理方法。
【請求項２】
セルのダウンリンク基準信号受信電力ＲＳＲＰ境界値を決定する前記ステップは、
前記セルのダウンリンク基準信号送信電力、ＵＥの最大アップリンク送信電力、雑音干渉電力、前記セルの受信アンテナ数、最小受信信号対干渉雑音比、及び予め設定された補償パラメータに基づいて、前記セルのダウンリンクＲＳＲＰ境界値を決定するするステップを含む、請求項１に記載の方法。
【請求項３】
前記ダウンリンクＲＳＲＰ境界値は、音声トラフィックのダウンリンクＲＳＲＰ境界値及びデータトラフィックのダウンリンクＲＳＲＰ境界値の少なくとも１つを含む、請求項１に記載の方法。
【請求項４】
ダウンリンクＲＳＲＰ境界値が音声トラフィックのダウンリンクＲＳＲＰ境界値を含む場合、前記最小受信信号対干渉雑音比は、音声トラフィックを送信する最小受信信号対干渉雑音比である、又は
ダウンリンクＲＳＲＰ境界値が音声トラフィックのダウンリンクＲＳＲＰ境界値を含む場合、前記最小受信信号対干渉雑音比は、データトラフィックを送信する最小受信信号対干渉雑音比である、請求項２に記載の方法。
【請求項５】
隣接セルの干渉状態メッセージを受信し、前記隣接セルのダウンリンクＲＳＲＰ境界値を決定するステップと、
前記ＵＥによって報告された隣接セルのダウンリンクＲＳＲＰ測定値が前記隣接セルのダウンリンクＲＳＲＰ境界値以上である場合、前記隣接セルを前記ＵＥの候補ターゲットセルとするステップと、をさらに含む、請求項１に記載の方法。
【請求項６】
前記隣接セルの干渉状態メッセージは、前記隣接セルのダウンリンクＲＳＲＰ境界値を含む、又は
前記隣接セルの干渉状態メッセージは、前記隣接セルのダウンリンクＲＳＲＰ境界値を計算するためのパラメータを含む、請求項５に記載の方法。
【請求項７】
前記セルのダウンリンクＲＳＲＰ境界値又は前記セルのダウンリンクＲＳＲＰ境界値を計算するためのパラメータを含む干渉状態メッセージを前記隣接セルに送信するステップをさらに含む、請求項１〜６のいずれか１項に記載の方法。
【請求項８】
第１の通信ノードに適用される干渉処理方法であって、
セルのダウンリンク基準信号受信電力ＲＳＲＰ境界値を決定するステップと、
前記セルにハンドオーバすべきユーザ機器ＵＥによって報告された前記セルのダウンリンクＲＳＲＰ測定値が前記ダウンリンクＲＳＲＰ境界値よりも小さい場合、前記ＵＥのハンドオーバ要求を拒否するステップをさらに含む、干渉処理方法。
【請求項９】
メモリと、プロセッサと、前記メモリ上に記憶され、前記プロセッサ上で実行可能なコンピュータプログラムとを備え、前記プロセッサは、前記コンピュータプログラムを実行すると、請求項１〜８のいずれか１項に記載の方法を実現するように構成される干渉処理装置。
【請求項１０】
少なくとも１つのプロセッサによって実行されると、請求項１〜８のいずれか１項に記載の方法を実現する少なくとも１つのプログラムが記憶された記憶媒体。
【発明の詳細な説明】
【技術分野】
【０００１】
本願は、２０１８年０５月２９日に中国特許庁に提出された出願番号２０１８１０５３３６６９．５の中国特許出願の優先権を主張しており、該出願の全内容は引用によって本願に組み込まれている。
【０００２】
本発明の実施例は、通信技術の分野に関し、たとえば、干渉処理方法、装置、システム、及び記憶媒体に関する。
【背景技術】
【０００３】
セル間ハンドオーバとは、通話中に移動端末があるセルから別のセルに入る際に、ネットワークを介してリアルタイム制御を行い、通話が途切れることなく、移動局を元のセルで使用されていたチャネルから新しいセルのあるチャネルに切り替えることをいう。一般的なセル間ハンドオーバ方式は、移動端末によって報告された隣接セルのダウンリンク信号の品質に基づいて隣接セルを選択することであり、ダウンリンク信号が良好な隣接セルほど、ハンドオーバ先として優先される。負荷や隣接セル優先度などに基づく隣接セル選択ポリシーが存在しても、フィルタリング結果集合の中から、ダウンリンク品質の良い隣接セルを最終的なハンドオーバ先として優先的に選択する。しかし、このような方式では、端末がダウンリンク干渉の小さい隣接セルに優先的にハンドオーバすることしか確保されていない。実際の応用では、アップリンク信号にも干渉（たとえば、大気ダクトシナリオ）が発生することがあり、アップリンク干渉の存在により通話品質にも影響を与えるため、ユーザのエクスペリエンスも著しく低下する。
【０００４】
したがって、ＵＥがアップリンク干渉を回避できる干渉処理方法、装置、システム、及び記憶媒体を提供する必要がある。
【発明の概要】
【発明が解決しようとする課題】
【０００５】
これに鑑みて、本発明の実施例の目的は、アップリンク干渉の存在により通話品質に影響を与え、ユーザのエクスペリエンスを著しく低下させるという従来技術の問題を解決するために、干渉処理方法、装置、システム、及び記憶媒体を提供することにある。
【課題を解決するための手段】
【０００６】
本発明の実施例は、上記技術的課題を解決するために、以下の技術案を採用する。
【０００７】
本発明の実施例の第１の態様によれば、
セルのダウンリンク基準信号受信電力ＲＳＲＰ境界値を決定するステップと、
ユーザ機器ＵＥによって報告されたダウンリンクＲＳＲＰ測定値を受信するステップと、
前記ダウンリンクＲＳＲＰ測定値が前記ダウンリンクＲＳＲＰ境界値よりも小さい場合、前記ＵＥをセルから移出するステップと、を含む干渉処理方法を提供する。
【０００８】
本発明の実施例の第２の態様によれば、第１の通信ノードに適用される干渉処理方法であって、
セルのダウンリンク基準信号受信電力ＲＳＲＰ境界値を決定するステップと、
前記セルにハンドオーバすべきユーザ機器ＵＥによって報告された前記セルのダウンリンクＲＳＲＰ測定値が前記ダウンリンクＲＳＲＰ境界値よりも小さい場合、前記ＵＥのハンドオーバ要求を拒否するステップを含む干渉処理方法を提供する。
【０００９】
本発明の実施例の第３の態様によれば、メモリと、プロセッサと、前記メモリ上に記憶され、前記プロセッサ上で実行可能なコンピュータプログラムとを備え、前記プロセッサは、前記コンピュータプログラムを実行すると、第１の態様又は第２の態様の方法のステップを実現するように構成される干渉処理装置を提供する。
【００１０】
本発明の実施例の第４の態様によれば、少なくとも１つのプロセッサによって実行されると、第１の態様又は第２の態様のステップを実現する少なくとも１つのプログラムが記憶された記憶媒体を提供する。
【図面の簡単な説明】
【００１１】
【図１】図１は本発明の実施例１による干渉処理方法のフローチャートである。
【図２】図２は本発明の実施例によるアップリンク干渉セルの状態を示す模式図である。
【図３】図３は本発明の実施例による、候補ターゲットセル内の移出すべきＵＥの位置を示す模式図である。
【図４】図４は本発明の実施例２による別の干渉処理方法のフローチャートである。
【図５】図５は本発明の実施例３によるさらなる干渉処理方法のシナリオ１の方法１のフローチャートである。
【図６】図６は本発明の実施例３によるシナリオ１の方法２のフローチャートである。
【図７】図７は本発明の実施例３によるシナリオ３のフローチャートである。
【図８】図８は本発明の実施例３によるシナリオ４のフローチャートである。
【図９】図９は本発明の実施例３によるシナリオ５のフローチャートである。
【図１０】図１０は本発明の実施例３によるシナリオ６のフローチャートである。
【図１１】図１１は本発明の実施例４に係る干渉処理装置のモジュール構成の模式図である。
【図１２】図１２は本発明の実施例５に係る干渉処理システムの構成模式図である。
【発明を実施するための形態】
【００１２】
本発明の実施例の目的の実現、機能の特徴、及び利点は、実施例にて図面を参照しながらさらに説明される。
以下、本発明の実施例について、図面及び実施例を参照しながらさらに詳細に説明する。なお、ここで記載された特定の実施例は、本発明の実施例を説明するためにのみ使用され、本発明の実施例を限定するものではない。
【００１３】
本発明の実施例１は、第１の通信ノードに適用される干渉処理方法を提供し、図１に示すように、この方法は、ステップＳ１０１、ステップＳ１０２、及びステップＳ１０３を含む。
【００１４】
ステップＳ１０１では、セルのダウンリンク参照信号受信電力ＲＳＲＰ境界値を決定する。
【００１５】
ステップＳ１０２では、ユーザ機器ＵＥによって報告されたダウンリンクＲＳＲＰ測定値を受信する。
【００１６】
ステップＳ１０３では、該ダウンリンクＲＳＲＰ測定値が該ダウンリンクＲＳＲＰ境界値よりも小さい場合、該ＵＥを該セルから移出する。
【００１７】
図２は、アップリンク干渉セルの状態を示す模式図である。図２には、セルカバレッジ部分は、図２の細線外輪に示すように、該セル信号がカバーできる範囲を指す。該セルは干渉セルであり、「通常エリア」と「干渉エリア」から構成されている。
【００１８】
通常エリアは、図２に示すようなハッチングパターン部分である。この範囲内では、セル状態は基本的に弱干渉又は無干渉であり、正常な通話品質を確保できると考えられる。実際の応用では、セルに近いほど、パスロスが少なく、基地局が受信する信号が良好である。したがって、アップリンク干渉がある場合、端末がセルから離れるほど、干渉が顕著になる。逆に、干渉は相対的に顕著ではない。したがって、通常エリアは、干渉セルの有効な部分である。
【００１９】
干渉エリアは、図２に示すようなセルカバレッジ内であってハッチングパターン部分外の範囲にあり、干渉セルの通常エリアと干渉セルのエッジとの間のエリアであり、干渉が強いエリアでもあり、アクセスしてもユーザ知覚が悪いことからモバイルユーザのアクセスは推奨されず、干渉エリアは干渉セルの無効な部分である。
【００２０】
実際の応用では、基地局が干渉検出を定時的に行い、アップリンク干渉を受けていると検出すると、ベースバンド干渉防止処理を行うだけでなく、アップリンク干渉を受けていることを干渉セルに通知し、またセルのアップリンク雑音干渉電力値（Ｎｏｉｓｅ  ｉｎｔｅｒｆｅｒｅｎｃｅ、ＮＩ）を通知する。
【００２１】
干渉セルは、自身がアップリンク干渉セルであることを知った場合、ユーザの知覚を確保するために、自身の通常エリアと干渉エリアを特定し、干渉エリア（このエリア内のユーザのエクスペリエンスが悪い）内のＵＥをハンドオーバ方式で適時に移出させる。また、周辺の隣接セルと相互作用することもでき、それによって、自セルにハンドオーバする隣接セルのＵＥが自セルの通常エリアにハンドオーバされることを確保する。
【００２２】
実際の応用では、通常エリアの境界値はダウンリンク参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）境界値とすることができる。
【００２３】
１つの実行可能な態様では、セルのダウンリンクＲＳＲＰ境界値は、セルのダウンリンク基準信号送信電力、ユーザ機器（Ｕｓｅｒ  Ｅｑｕｉｐｍｅｎｔ、ＵＥ）の最大アップリンク送信電力、雑音干渉電力、セルの受信アンテナ数、最小受信信号対干渉雑音比、及び予め設定された補償パラメータに基づいて決定され得る。
【００２４】
１つの実行可能な態様では、このダウンリンクＲＳＲＰ境界値は、音声トラフィックのダウンリンクＲＳＲＰ境界値及び／又はデータトラフィックのダウンリンクＲＳＲＰ境界値を含む。
【００２５】
実際の応用では、ダウンリンクＲＳＲＰ境界値が音声トラフィックのダウンリンクＲＳＲＰ境界値を含む場合、前記最小受信信号対干渉雑音比は、音声トラフィックを送信する最小受信信号対干渉雑音比である、又は
ダウンリンクＲＳＲＰ境界値が音声トラフィックのダウンリンクＲＳＲＰ境界値を含む場合、前記最小受信信号対干渉雑音比は、データトラフィックを送信する最小受信信号対干渉雑音比である。
【００２６】
実際の応用では、ＳＩＮＲの計算式、
ＳＩＮＲｔｒａｆｆｉｃ＝Ｐｃｍａｘ−（ＲＳ電力−ＲＳＲＰ）−ＮＩ＋１０Ｌｏｇ（ＡｎｔＮｕｍ）＋ＩＤＰから、
次の式が推定される。
ＲＳＲＰ＝ＲＳ電力−Ｐｃｍａｘ＋ＮＩ−１０Ｌｏｇ（ＡｎｔＮｕｍ）＋ＳＩＮＲｔｒａｆｆｉｃ−ＩＤＰ。
式中、ＲＳ電力は自セルのダウンリンク基準信号送信電力、ＰｃｍａｘはＵＥの最大アップリンク送信電力、ＮＩはセルのアップリンク雑音干渉電力、ＡｎｔＮｕｍは自セルの受信アンテナ数、ＳＩＮＲｔｒａｆｆｉｃは、異なるトラフィック（音声トラフィック及びデータトラフィックを含む）を送信する最小受信信号対干渉雑音比、ＩＤＰ（Ｉｎｔｅｒｆｅｒｅｎｃｅ  Ｄｅｆａｕｌｔ  ｐａｒａｍｅｔｅｒ）は干渉モデルの予め設定された補償パラメータである。
【００２７】
上記式中、ＲＳＲＰは、通常エリアのダウンリンクＲＳＲＰ境界値であり、これを通常エリアの境界値とする。
【００２８】
ＳＩＮＲｔｒａｆｆｉｃはバックグラウンドで設定することができ、異なるトラフィック（音声トラフィック及びデータトラフィックを含む）を送信する最小受信信号対干渉雑音比である。各トラフィックに必要なチャネル条件は異なり、たとえば、音声トラフィックは、高いチャネル条件を必要とし、データトラフィックは、悪いチャネル条件でもユーザの要求を満たすことができるので、音声トラフィックが存在する場合、ＳＩＮＲｔｒａｆｆｉｃ（音声）とＳＩＮＲｔｒａｆｆｉｃ（データ）などを区別する必要がある。
【００２９】
したがって、ＵＥに音声トラフィックが存在する場合、予め設定された式ＲＳＲＰ音声＝ＲＳ−Ｐｃｍａｘ＋ＮＩ−１０Ｌｏｇ（ＡｎｔＮｕｍ）＋ＳＩＮＲｔｒａｆｆｉｃ（音声）−ＩＤＰより、自セルの音声トラフィックのダウンリンクＲＳＲＰ境界値を計算する。
【００３０】
ＵＥに音声トラフィックがない場合、予め設定された式ＲＳＲＰデータ＝ＲＳ−Ｐｃｍａｘ＋ＮＩ−１０Ｌｏｇ（ＡｎｔＮｕｍ）＋ＳＩＮＲｔｒａｆｆｉｃ（データ）−ＩＤＰより、自セルのデータトラフィックのダウンリンクＲＳＲＰ境界値を計算する。
【００３１】
ＩＤＰは、干渉モデルの予め設定された補償パラメータ（たとえば、大気ダクト干渉モデルにおける補償パラメータ、又は他のアップリンク干渉モデルにおける補償パラメータ）であり、伝送チャネルのモデル及び基地局が処理する熱雑音などの要素に基づいて補償を行い、バックグラウンドで設定することができる。
【００３２】
ＮＩなどの他のパラメータは、基地局の自己測定によって取得することができ、ＲＳ電力及びＡｎｔＮｕｍはバックグラウンドで設定することができる。
【００３３】
実際の応用では、ＵＥの最大送信電力Ｐｃｍａｘを取得する方式は２つあり、１つは、ＵＥによって報告された基地局コンテンツから取得することであり、この場合、各ＵＥのＰｃｍａｘが取得され、もう１つは、Ｐｃｍａｘプリセット値に置き換えることである（これは、ほとんどのＵＥのＰｃｍａｘが同じであるためである）。
【００３４】
各ＵＥによって報告されたＰｃｍａｘを上記式に代入すると、各ＵＥ自身に固有のダウンリンクＲＳＲＰ境界値（データ）及びダウンリンクＲＳＲＰ境界値（音声）が算出される。
【００３５】
Ｐｃｍａｘプリセット値を上記式に代入すると、干渉セルのダウンリンクＲＳＲＰ境界値（データ）とダウンリンクＲＳＲＰ境界値（音声）が算出される。
【００３６】
上記式によれば、通常エリアの境界は、セル自体の構成に加えて、ＵＥ、ＵＥのトラフィックタイプ、干渉のタイプ及び強度によって異なる場合がある。通常、干渉が小さいほど、又は基地局が干渉を良好に処理するほど、この通常エリアのカバレッジは大きくなり、干渉が除去された場合、又は基地局ベースバンドが完全干渉防止処理を行える場合、この通常エリアは、干渉セルのエッジと重なり、つまり、干渉セルは完全に通常セルになる。一方、干渉がある場合にも、通常エリアは、自セルが実際に利用可能な有効範囲であると考えられる。
【００３７】
実際の応用では、本方法は、ステップＳ１０２を実行する前に、
この自セルのＵＥによって報告された自セルのダウンリンクＲＳＲＰ測定値を取得するステップと、
この自セルのＵＥに音声トラフィックが存在する場合、このダウンリンクＲＳＲＰ測定値がＲＳＲＰ音声よりも小さいか否かを判断するステップと、
このダウンリンクＲＳＲＰ測定値がＲＳＲＰ音声よりも小さい場合、この自セルのＵＥがこの通常エリア境界外にあると判定するステップと、
この自セルのＵＥにデータトラフィックがない場合、このダウンリンクＲＳＲＰ測定値がこのＲＳＲＰデータよりも小さいか否かを判断するステップと、
このダウンリンクＲＳＲＰ測定値がこのＲＳＲＰデータよりも小さい場合、この自セルのＵＥがこの通常エリア境界外にあると判定するステップと、を含む。
【００３８】
実際の応用では、タイミングリフレッシュの方式で自セル内のすべてのＵＥによって報告されたダウンリンクＲＳＲＰ測定値を取得し、ダウンリンクＲＳＲＰ境界値と比較することができる。
【００３９】
実際の応用では、たとえが、音声トラフィックが高いチャネル条件を必要としたり、データトラフィックが悪いチャネル条件でもユーザの要求を満たすことができたりするなど、各トラフィックに必要なチャネル条件が異なることから、音声トラフィックが存在する場合、ＳＩＮＲｔｒａｆｆｉｃ（音声）とＳＩＮＲｔｒａｆｆｉｃ（データ）を区別する必要がある。
【００４０】
ＵＥに音声トラフィックが存在する場合、ＵＥのダウンリンクＲＳＲＰ測定値＞＝ダウンリンクＲＳＲＰ境界値（音声）であると、ＵＥは、音声品質を確保することができる通常エリアの範囲内にあると考えられ、移動させる必要はなく、ＵＥのＲＳＲＰ測定値＜ダウンリンクＲＳＲＰ境界値（音声）であると、ＵＥは音声品質を確保できない干渉エリアの範囲内にあると考えられ、移出処理を必要とする。
【００４１】
ＵＥに音声トラフィックが存在しない場合、ＵＥのＲＳＲＰ測定値＞＝ダウンリンクＲＳＲＰ境界値（データ）であると、ＵＥは、データトラフィックの品質を確保することができる通常エリアの範囲内にあると考えられ、移動させる必要はなく、ＵＥのＲＳＲＰ測定値＜ダウンリンクＲＳＲＰ境界値（データ）であると、ＵＥはデータトラフィックの品質を確保できない干渉エリアの範囲内にあると考えられ、移出処理を必要とする。
【００４２】
１つの実行可能な態様では、該方法は、
隣接セルの干渉状態メッセージを受信し、前記隣接セルのダウンリンクＲＳＲＰ境界値を決定するステップと、
前記ＵＥによって報告された隣接セルのダウンリンクＲＳＲＰ測定値が前記隣接セルのダウンリンクＲＳＲＰ境界値以上である場合、前記隣接セルを前記ＵＥの候補ターゲットセルとするステップと、をさらに含む。
【００４３】
実際の応用では、前記隣接セルの干渉状態メッセージは、前記隣接セルのダウンリンクＲＳＲＰ境界値を含む、又は
前記隣接セルの干渉状態メッセージは、前記隣接セルのダウンリンクＲＳＲＰ境界値を計算するためのパラメータを含む。
【００４４】
実際の応用では、自セルは、隣接セルが送信した干渉状態更新メッセージを受信すると、前記メッセージをトリガする隣接セルの状態を取得して更新することができる。
【００４５】
この隣接セルの最新状態が干渉状態である場合、この隣接セルの送信する干渉状態更新メッセージに含まれるパラメータについては、２つの場合があり、この場合、自セルがＵＥへのハンドオーバ移出を決定し、候補ハンドオーバ先セルの中から選択する際に、候補セルの識別子が干渉セルであると判明した場合、含まれているパラメータに応じて異なる処理を行い、その干渉隣接セルのダウンリンクＲＳＲＰ境界値を取得する必要がある。
【００４６】
一、干渉状態更新メッセージに含まれているパラメータの数が２である場合、この干渉隣接セルのダウンリンクＲＳＲＰ境界値（データ）及びダウンリンクＲＳＲＰ境界値（音声）が受信されたとし、この干渉隣接セルの識別子に保存する。
移出すべきＵＥに音声トラフィックが存在する場合、干渉隣接セルのダウンリンクＲＳＲＰ境界値（音声）が直接使用され、移出すべきＵＥにデータトラフィックが存在する場合、干渉隣接セルのダウンリンクＲＳＲＰ境界値（データ）が直接使用される。
【００４７】
二、干渉状態更新メッセージに含まれているパラメータの数が５である場合、通常エリアの計算パラメータが含まれているとし、この干渉隣接セルの識別子に保存する。
【００４８】
移出すべきＵＥに音声トラフィックが存在する場合、計算パラメータを上記式に代入して、この干渉隣接セルのダウンリンクＲＳＲＰ境界値（音声）を算出し、ここで、計算するパラメータは干渉隣接セルのＲＳ電力、ＮＩ、ＡｎｔＮｕｍ、ＳＩＮＲｔｒａｆｆｉｃ（音声）及び移出すべきＵＥのＰｃｍａｘを含む。
【００４９】
ＵＥにデータトラフィックのみが存在する場合、計算パラメータを上記式に代入して、この干渉隣接セルのダウンリンクＲＳＲＰ境界値（音声）を算出し、ここで、計算するパラメータは、干渉隣接セルのＲＳ電力、ＮＩ、ＡｎｔＮｕｍ、ＳＩＮＲｔｒａｆｆｉｃ（音声）及び移出すべきＵＥのＰｃｍａｘを含む。
【００５０】
なお、上記式におけるＩＤＰパラメータは、自セルのバックグラウンドから取得することができる。
【００５１】
一実施例では、移出すべきＵＥがこの隣接セルのダウンリンクＲＳＲＰ境界値内にあるか否かを判断することは、
移出すべきＵＥによってこの干渉隣接セルの測定について報告されたＲＳＲＰ測定値を取得することと、
移出すべきＵＥのトラフィックタイプを判断することと、
移出すべきＵＥに音声トラフィックが存在する場合、
移出すべきＵＥによって報告されたダウンリンクＲＳＲＰ測定値＞＝干渉隣接セルのダウンリンクＲＳＲＰ境界値（音声）である場合、移出すべきＵＥがこの隣接セルの通常エリア（音声）のカバレッジ内にあることを示し、この場合、後続のハンドオーバターゲットセルとして継続することができる。そうでない場合、移出すべきＵＥが干渉エリア内にあることを示し、この干渉された隣接セルを候補ターゲットセルとして使用せず、
たとえば、図３に示すように、移出すべきＵＥが隣接セルの通常エリア内にある場合、その隣接セルを後続のハンドオーバ先セルとして継続し、移出すべきＵＥが隣接セルの干渉エリア内にある場合、干渉隣接セルを候補ターゲットセルとして使用せず、
ＵＥに音声トラフィックがない場合、
移出すべきＵＥによって報告されたダウンリンクＲＳＲＰ測定値＞＝干渉する隣接セルのダウンリンクＲＳＲＰ境界値（データ）である場合、移出すべきＵＥがこの干渉隣接セルの通常エリア（データ）のカバレッジ内にあることを示し、この場合、後続のハンドオーバターゲットセルとして継続することができる。そうでない場合、移出すべきＵＥが干渉エリア内にあることを示し、干渉隣接セルを候補ターゲットセルとして使用しないことと、を含む。
【００５２】
１つの実行可能な態様では、該方法は、
このセルのダウンリンクＲＳＲＰ境界値又はこのセルのダウンリンクＲＳＲＰ境界値を計算するためのパラメータを含む干渉状態メッセージを隣接セルに送信するステップをさらに含む。
【００５３】
実際の応用では、自セルは、干渉状態になる場合、次のような経路を介して隣接セルと相互作用することができる。
【００５４】
１．基地局間の直接のメッセージ（たとえば、第４世代移動通信技術（４ Ｇｅｎｅｒａｔｉｏｎ、４Ｇ）のＸ２、第５世代移動通信技術（５ｆｉｆｔｈ−ｇｅｎｅｒａｔｉｏｎ、５Ｇ）のＸｎ）。
２．コアネットワークを介して基地局間で伝達されるメッセージ（たとえば、４ＧのＳ１、５ＧのＮＣ−Ｃ）。
【００５５】
干渉状態更新メッセージは、自セルが通常セルから干渉セルに変化する場合、次の２種類の情報を含むことができる。
１）干渉標識子：自セルの状態（たとえば、０は通常セル、１は干渉セルである）を示す。
２）含まれているパラメータの数及びコンテンツ（以下のＡとＢの２つの方式のいずれかを使用できる）。
【００５６】
方式Ａ．含まれているパラメータの数は２つである。
含まれているパラメータのコンテンツ：干渉セルのダウンリンクＲＳＲＰ境界値（音声トラフィック）及びダウンリンクＲＳＲＰ境界値（データトラフィック）。
【００５７】
方式Ｂ．含まれているパラメータの数は５つである。
含まれているパラメータのコンテンツ：自セルのダウンリンクＲＳ送信電力、自セルの受信アンテナ数ＡｎｔＮｕｍ、自セルのアップリンク雑音干渉電力ＮＩ、自セルの最小受信信号対干渉雑音比ＳＩＮＲｔｒａｆｆｉｃ（音声）、及び自セルの最小受信信号対干渉雑音比ＳＩＮＲｔｒａｆｆｉｃ（データ）。
【００５８】
実際の応用では、自セルの干渉状態が変化したときに、たとえば、通常セルから干渉セルに変化し、逆に干渉セルから通常セルに変化したときにも、各構成の隣接セルに干渉状態更新メッセージを送信し、周囲の隣接セルが干渉状態更新メッセージを受信した後、自セルの状態を正常にリセットし、自セルの干渉関連パラメータを無効パラメータに設定する。
【００５９】
実際の応用では、自セルは、基地局ベースバンドによって送信されたアップリンク干渉が解消した旨の通知を受信すると、また、下記操作を実行することができる。
１、自体の状態を正常に更新する。
２、セルの全てのＵＥ測定値を取得するリフレッシュ過程を停止し、通常エリアを計算するときの計算関連パラメータをクリアし、このとき、全ての通信手順を基地局の正常状態の場合の手順で処理する。
【００６０】
本実施例の干渉処理方法は、自セルがアップリンク干渉を受けていることを検出すると、自セルのダウンリンクＲＳＲＰ境界値を計算することによって、自身の通常エリアと干渉エリアを特定し、干渉エリア（このエリア内のユーザのエクスペリエンスが悪い）内のＵＥ（このＵＥによって報告されたダウンリンクＲＳＲＰ測定値がダウンリンクＲＳＲＰ境界値よりも小さい）をハンドオーバ方式で適時に移出させ、これにより、ＵＥは、自セルのアップリンク干渉の影響を回避することができ、アップリンク干渉でのハンドオーバ成功率及びユーザのエクスペリエンスを向上させるだけでなく、干渉セルの通常エリアを最大限に利用することができる。
【００６１】
本発明の実施例２は、第１の通信ノードに適用される別の干渉処理方法を提供し、図４に示すように、該方法は、ステップＳ１００１とステップＳ１００２を含む。
【００６２】
ステップＳ１００１では、セルのダウンリンク参照信号受信電力ＲＳＲＰ境界値を決定する。
【００６３】
ステップＳ１００２では、該セルにハンドオーバすべきＵＥによって報告された該セルのダウンリンクＲＳＲＰ測定値が該ダウンリンクＲＳＲＰ境界値よりも小さい場合、該ＵＥのハンドオーバ要求を拒否する。
【００６４】
１つの実行可能な態様では、セルのダウンリンクＲＳＲＰ境界値は、セルのダウンリンク基準信号送信電力、ＵＥの最大アップリンク送信電力、雑音干渉電力、セルの受信アンテナ数、最小受信信号対干渉雑音比、及び予め設定された補償パラメータに基づいて決定され得る。
【００６５】
実際の応用では、実施例１の方法を用いてダウンリンクＲＳＲＰ境界値を計算することができるので、ここでは詳しく説明しない。
【００６６】
１つの実現可能な態様では、ステップＳ２０２を実行する前に、該方法は、
受信したハンドオーバ要求メッセージから、ハンドオーバすべきＵＥによって報告される自セルのダウンリンクＲＳＲＰ測定値を取得するステップと、
ハンドオーバすべきＵＥに音声トラフィックが存在する場合、該ダウンリンクＲＳＲＰ測定値がＲＳＲＰ音声よりも小さいか否かを判断するステップと、
該ダウンリンクＲＳＲＰ測定値がＲＳＲＰ音声よりも小さい場合、このハンドオーバすべきＵＥが通常エリア境界外にあると判定するステップと、
ハンドオーバすべきＵＥに音声トラフィックがない場合、該ダウンリンクＲＳＲＰ測定値がＲＳＲＰデータよりも小さいか否かを判断するステップと、
該ダウンリンクＲＳＲＰ測定値がＲＳＲＰデータよりも小さい場合、このハンドオーバすべきＵＥが通常エリア境界外にあると判定するステップと、をさらに含む。
【００６７】
いくつかのシナリオでは、自セルがハンドオーバ先となるターゲットセルである場合、ハンドオーバ時まで自身がアップリンク干渉セルであると判明しない場合があり、このとき、ターゲットセルでハンドオーバを許可するか否かを判断する必要がある。
【００６８】
実際の応用では、ハンドオーバすべきＵＥのソースセルがハンドオーバを開始させると、ハンドオーバすべきＵＥのＰｃｍａｘと、ハンドオーバすべきＵＥによって自セルの測定について報告されたダウンリンクＲＳＲＰ測定値とが、Ｓ１又はＸ２のハンドオーバ要求メッセージに含まれてもよい。
【００６９】
自セルは、ハンドオーバ要求メッセージを受信すると、ハンドオーバＵＥのＰｃｍａｘ及びダウンリンクＲＳＲＰ測定値を含むメッセージ内のすべてのパラメータを取得する。
【００７０】
このとき、自セルは、自身の干渉状態を識別し、通常セルであれば、ハンドオーバ要求メッセージ中のハンドオーバＵＥのＰｃｍａｘ及びＲＳＲＰを無視し、通常のハンドオーバ手順で処理すればよく、アップリンク干渉セルであれば、自セルの通常エリア境界を計算し、ハンドオーバすべきＵＥのトラフィックタイプを識別する必要がある。
【００７１】
自セルの通常エリア境界を計算する際に取得する必要があるパラメータは、自セルのＲＳ電力、ハンドオーバすべきＵＥのＰｃｍａｘ、自セルのＮＩ、自セルのＡｎｔＮｕｍ、及び自セルのＳＩＮＲトラフィックを含む。
【００７２】
実際の応用では、ＳＩＮＲトラフィックに対しては、ハンドオーバすべきＵＥのトラフィックタイプに応じて取得することができる。
【００７３】
ハンドオーバすべきＵＥが音声トラフィックである場合、この干渉セルの最小受信信号対干渉雑音比ＳＩＮＲｔｒａｆｆｉｃ（音声）を取得し、ハンドオーバすべきＵＥが音声トラフィックである場合、この干渉セルの最小受信信号対干渉雑音比ＳＩＮＲｔｒａｆｆｉｃ（データ）を取得する。
【００７４】
意思決定において、ハンドオーバすべきＵＥに音声トラフィックが存在する場合、
ハンドオーバすべきＵＥによって報告されたダウンリンクＲＳＲＰ測定値＞＝自セルのダウンリンクＲＳＲＰ境界値（音声）である場合、ハンドオーバすべきＵＥが自セルの通常エリア（音声）のカバレッジ内にあることを示し、この場合、このハンドオーバを受け入れ、確認メッセージを返信する。そうではない場合、ハンドオーバすべきＵＥが干渉エリアにあることを示し、この場合、このハンドオーバを拒否し、拒否メッセージを返信する。
【００７５】
ハンドオーバすべきＵＥに音声トラフィックがない場合、
ハンドオーバすべきＵＥによって報告されたＲＳＲＰ測定値＞＝自セルのダウンリンクＲＳＲＰ境界値（データ）である場合、ハンドオーバすべきＵＥが自セルの通常エリア（データ）のカバレッジ内にあることを示し、この場合、このハンドオーバを受け入れ、確認メッセージを返信する。そうではない場合、ハンドオーバすべきＵＥが干渉エリアにあることを示し、このハンドオーバを拒否し、拒否メッセージを返信する。
【００７６】
なお、実際の応用では、ハンドオーバすべきＵＥのＰｃｍａｘは、ほとんどのＵＥのＰｃｍａｘが同じであることから、ソースセルによって伝達されるハンドオーバ要求メッセージから省略されてもよく、ターゲットセルは、ダウンリンクＲＳＲＰ境界値を計算する際にＰｃｍａｘプリセット値がハンドオーバすべきＵＥのＰｃｍａｘの代わりに使用されてもよい。
【００７７】
１つの実行可能な態様では、本方法は、自セルがアップリンク干渉セルであることを検出した場合、
自セルのダウンリンクＲＳＲＰ境界値又は自セルのダウンリンクＲＳＲＰ境界値の計算パラメータを含む干渉状態更新メッセージを隣接セルに送信するステップをさらに含む。
【００７８】
実際の応用では、干渉状態更新メッセージは、実施例１の方法を用いて隣接セルに送信されてもよいので、ここでは詳しく説明しない。
【００７９】
本実施例の干渉処理方法は、自セルがアップリンク干渉を受けていることを検出すると、自セルのダウンリンクＲＳＲＰ境界値を計算することによって、自身の通常エリアと干渉エリアを特定し、該通常エリア境界外に位置し自セルにハンドオーバすべきＵＥ（該ＵＥによって報告されたダウンリンクＲＳＲＰ測定値がダウンリンクＲＳＲＰ境界値よりも小さい）のハンドオーバ要求を拒否し、これにより、ＵＥは、自セルのアップリンク干渉の影響を回避することができ、アップリンク干渉下でのハンドオーバ成功率及びユーザのエクスペリエンスを向上させるだけでなく、干渉セルの通常エリアを最大限に利用することができる。
【００８０】
本発明の実施例３は、他の干渉処理方法を提供し、本実施例では、セルＡ及びＢを含む基地局１と、セルＣ及びＤを含む基地局２とを例に干渉処理について説明し、セルＡは、ＵＥ−Ａ１、ＵＥ−Ａ２を含み、セルＢは、ＵＥ−Ｂを含み、セルＣは、ＵＥ−Ｃ１、ＵＥ−Ｃ２を含み、ＵＥ−Ａ１はデータトラフィックのみを有し、ＵＥ−Ａ２は音声トラフィックを有し、ＵＥ−Ｃ１はデータトラフィックであり、ＵＥ−Ｃ２は音声トラフィックであり、セルＡ、Ｂ、Ｃ、Ｄは全て互いに隣接セルとなり、Ｘ２を介して互いに通信している。本実施例では、セルＡ、Ｂ、Ｃ、Ｄは、Ｘ２を介して互いに必要な隣接パラメータ情報を交換している。基地局１は、大気ダクト干渉が突発的に発生したと仮定し、大気ダクト干渉の発生を検出し、干渉防止処理を行う。一方、基地局１のベースバンドは、高層セルＡ及びＢに大気ダクト干渉があることを通知し、干渉ＮＩ値を通知する。
【００８１】
本実施例では、説明の便宜のため、異なるシナリオを別々説明する。
【００８２】
シナリオ１．セルＡは、ベースバンドの通知を受信し、自セルのダウンリンクＲＳＲＰ境界値を計算し、自セル内のＵＥを移出する必要があるか否かを決定する。
このシナリオでは、セルＡは、２つの方法によって、自セルのダウンリンクＲＳＲＰ境界値を計算し、自セル内のＵＥを移出する必要があるか否かを決定することができる。
方法１は、図５に示すように、ステップＳ４０１〜ステップＳ４０６を含む。
ステップＳ４０１では、干渉状態を干渉とマークし、ＮＩ値を記録する。
ステップＳ４０２では、バックグラウンドから自セルのＲＳ電力、ＡｎｔＮｕｍ、ＳＩＮＲｔｒａｆｆｉｃ（音声）、ＳＩＮＲｔｒａｆｆｉｃ（データ）、及び大気ダクトタイプ補償パラメータＡｔｍｏｓｐｈｅｒｉｃ  Ｄｅｆａｕｌｔ  Ｐａｒａｍｅｔｅｒを取得する。
ステップＳ４０３では、タイマをオンにして、セル内のすべてのＵＥ（ＵＥ−Ａ１及びＵＥ−Ａ２を含む）を定時的にトラバースして走査し、各ＵＥのアクセス情報から各ＵＥのＰｃｍａｘを取得し、自セルにおける各ＵＥのダウンリンクＲＳＲＰ測定値を取得する。
ステップＳ４０４では、各ＵＥのトラフィックタイプを識別する。
ステップＳ４０５では、各ＵＥのトラフィックタイプに基づいて、自セルにおける各ＵＥのダウンリンクＲＳＲＰ境界値を算出する。
ステップＳ４０６では、各ＵＥの自セルにおけるダウンリンクＲＳＲＰ測定値を、自セルのダウンリンクＲＳＲＰ境界値と比較し、ダウンリンクＲＳＲＰ測定値＜ダウンリンクＲＳＲＰ境界値である場合、該ＵＥを移出する必要があると判定する。
このシナリオでは、ＵＥ−Ａ１がトラバースされるとき、ＵＥ−Ａ１のアクセス情報に基づいてＵＥ−Ａ１のＰｃｍａｘ−Ａ１を取得し、ＵＥ−Ａ１の自セルにおけるダウンリンクＲＳＲＰ測定値ＲＳＲＰ−Ａ１を取得し、次に、ＵＥ−Ａ１トラフィックタイプについてデータトラフィックのみであることを識別し、このため、式ＲＳＲＰデータ＝ＲＳ電力−Ｐｃｍａｘ＋ＮＩ−１０Ｌｏｇ（ＡｎｔＮｕｍ）＋ＳＩＮＲｔｒａｆｆｉｃ（データ）−ＩＤＰより計算したところ、ＵＥ−Ａ１の自セルにおけるダウンリンクＲＳＲＰ境界値がＲ−Ａ１（Ｄａｔａ）であり、ＲＳＲＰ−Ａ１をＲ−Ａ１（Ｄａｔａ）と比較し、ＲＳＲＰ−Ａ１＜Ｒ−Ａ１（Ｄａｔａ）の場合にのみ、ＵＥ−Ａ１を移出する必要があると判定する。
ＵＥ−Ａ２がトラバースされるとき、ＵＥ−Ａ２のアクセス情報に基づいて、ＵＥ−Ａ２のＰｃｍａｘ−Ａ２を取得し、ＵＥ−Ａ２の自セルにおけるダウンリンクＲＳＲＰ測定値ＲＳＲＰ−Ａ２を取得し、ＵＥ−Ａ２トラフィックタイプに音声トラフィックが存在することを識別し、式ＲＳＲＰ音声＝ＲＳ電力−Ｐｃｍａｘ＋ＮＩ−１０Ｌｏｇ（ＡｎｔＮｕｍ）＋ＳＩＮＲｔｒａｆｆｉｃ（音声）−ＩＤＰより、ＵＥ−Ａ２の音声トラフィックのダウンリンクＲＳＲＰ境界値Ｒ−Ａ２（Ｖｏｉｃｅ）を算出し、ＲＳＲＰ−Ａ２をＲ−Ａ２（Ｖｏｉｃｅ）と比較し、ＲＳＲＰ−Ａ２＜Ｒ−Ａ２（Ｖｏｉｃｅ）の場合にのみ、ＵＥ−Ａ２を移出する必要があると判定する。
方法２は、図６に示すように、ステップＳ５０１〜ステップＳ５０７を含む。
ステップＳ５０１では、干渉状態を干渉とマークし、ＮＩ値を記録する。
ステップＳ５０２では、バックグラウンドから自セルのＲＳ電力、ＡｎｔＮｕｍ、ＳＩＮＲｔｒａｆｆｉｃ（音声）、ＳＩＮＲｔｒａｆｆｉｃ（データ）、Ｐｃｍａｘプリセット値、及び大気ダクトタイプ補償パラメータＡｔｍｏｓｐｈｅｒｉｃ  Ｄｅｆａｕｌｔ  Ｐａｒａｍｅｔｅｒを取得する。
ステップＳ５０３では、自セルの音声トラフィックとデータトラフィックのダウンリンクＲＳＲＰ境界値を算出する。
一実施例では、音声トラフィックのダウンリンクＲＳＲＰ境界値Ｒ（Ｖｏｉｃｅ）＝ＲＳ−Ｐｃｍａｘ＋ＮＩ−１０Ｌｏｇ（ＡｎｔＮｕｍ）＋ＳＩＮＲｔｒａｆｆｉｃ（音声）−Ａｔｍｏｓｐｈｅｒｉｃ  Ｄｅｆａｕｌｔ  Ｐａｒａｍｅｔｅｒであり、
データトラフィックのダウンリンクＲＳＲＰ境界値Ｒ（Ｄａｔａ）＝ＲＳ−Ｐｃｍａｘ＋ＮＩ−１０Ｌｏｇ（ＡｎｔＮｕｍ）＋ＳＩＮＲｔｒａｆｆｉｃ（データ）−Ａｔｍｏｓｐｈｅｒｉｃ  Ｄｅｆａｕｌｔ  Ｐａｒａｍｅｔｅｒである。
ステップＳ５０４では、タイマをオンにして、セル内のすべてのＵＥを定時的にトラバースして走査し、各ＵＥの自セルにおけるダウンリンクＲＳＲＰ測定値を取得する。
ステップＳ５０５では、各ＵＥのトラフィックタイプを識別し、ＵＥのトラフィックタイプがデータトラフィックのみである場合、ステップＳ５０６を実行し、ＵＥのトラフィックタイプに音声トラフィックが存在する場合、ステップＳ５０７を実行する。
ステップＳ５０６では、該ＵＥのダウンリンクＲＳＲＰ測定値をＲ（Ｄａｔａ）と比較し、ダウンリンクＲＳＲＰ測定値＜Ｒ（Ｄａｔａ）である場合にのみ、該ＵＥを移出する必要があると判定する。
ステップＳ５０７では、該ＵＥのダウンリンクＲＳＲＰ測定値をＲ（Ｖｏｉｃｅ）と比較し、ダウンリンクＲＳＲＰ測定値＜Ｒ（Ｖｏｉｃｅ）である場合にのみ、該ＵＥを移出する必要があると判定する。
このシナリオでは、ＵＥ−Ａ１がトラバースされるとき、ＵＥ−Ａ１の自セルにおけるダウンリンク品質測定値ＲＳＲＰ−Ａ１を取得し、ＵＥ−Ａ１トラフィックタイプがデータトラフィックのみであることを識別し、ＲＳＲＰ−Ａ１をＲ（Ｄａｔａ）と比較し、ＲＳＲＰ−Ａ１＜Ｒ（Ｄａｔａ）である場合にのみ、ＵＥ−Ａ１を移出する必要があると判定する。
ＵＥ−Ａ２がトラバースされるとき、ＵＥ−Ａの自セルにおけるダウンリンク品質測定値ＲＳＲＰ−Ａ２を取得し、ＵＥ−Ａ２トラフィックタイプに音声トラフィックが存在することを識別し、ＲＳＲＰ−Ａ２をＲ（Ｖｏｉｃｅ）と比較し、ＲＳＲＰ−Ａ２＜Ｒ（Ｖｏｉｃｅ）である場合にのみ、ＵＥ−Ａ２を移出する必要があると判定する。
【００８３】
シナリオ２．セルＡは、隣接セルに干渉状態更新メッセージを送信する（このシナリオでは、セルＡは、自身の干渉状態の更新を完了しており、すなわち、シナリオ１が発生している）。
セルＡが隣接セルに送信する干渉状態更新メッセージは、干渉識別子及び干渉関連パラメータを含むことができる。含むパラメータの数及びコンテンツは、次の２つの形態を取る。
形態１
ダウンリンクＲＳＲＰ境界値を計算するためのパラメータを伝達し、このとき、バックグラウンドは、干渉状態メッセージに含まれる伝達すべきダウンリンクＲＳＲＰ境界値を計算するためのパラメータを設定する。
方法は、ステップ１、ステップ２、及びステップ３を含む。
ステップ１．バックグラウンドにより設定された干渉状態更新メッセージに含まれる通常エリアを計算するためのパラメータを取得する。
ステップ２．Ｘ２干渉状態更新メッセージを入力し、メッセージのコンテンツは以下を含む。
状態：干渉；
パラメータ数：４；
セルＡの受信アンテナ数ＡｎｔＮｕｍ；
セルＡのＳＩＮＲｔｒａｆｆｉｃ（音声）；
セルＡのＳＩＮＲｔｒａｆｆｉｃ（データ）；
セルＡのＮＩ値。
ステップ３．隣接セルＢ、Ｃ、Ｄに干渉状態更新メッセージを送信する。
このとき、隣接セルは、セルＡの干渉状態更新メッセージを受信すると、セルＡの状態が干渉セルであることを識別し、この干渉状態更新メッセージが含むパラメータタイプとして、５つの計算パラメータに続いていると識別し、計算パラメータを読み出してセルＡの識別子に記憶し、計算パラメータは以下を含む。
セルＡの状態：干渉；
セルＡの干渉計算パラメータの数：４；
セルＡの受信アンテナ数ＡｎｔＮｕｍ；
セルＡのＳＩＮＲｔｒａｆｆｉｃ（音声）；
セルＡのＳＩＮＲｔｒａｆｆｉｃ（データ）；
セルＡのＮＩ値；
自セルのバックグラウンドから取得した大気ダクトタイプ補償Ａｔｍｏｓｐｈｅｒｉｃ  Ｄｅｆａｕｌｔ  Ｐａｒａｍｅｔｅｒ。
形態２
ダウンリンクＲＳＲＰ境界値を直接伝達し、バックグラウンドは、干渉状態メッセージに含まれる伝達すべきダウンリンクＲＳＲＰ境界値を設定する。
方法は、ステップ１、ステップ２、及びステップ３を含む。
ステップ１．干渉状態更新メッセージを通じて通常エリアの計算値を伝達するようなバックグラウンド構成を取得する。
ステップ２．Ｘ２干渉状態更新メッセージを入力し、メッセージのコンテンツは以下を含む。
状態：干渉；
パラメータタイプ：ダウンリンクＲＳＲＰ境界値；
ダウンリンクＲＳＲＰ境界値Ｒ（Ｄａｔａ）及びＲ（Ｖｏｉｃｅ）；
ステップ３．セルＡは、隣接セルＢ、Ｃ、Ｄにメッセージを送信する。
隣接セルは、セルＡの干渉状態更新メッセージを受信すると、セルＡの状態が干渉セルであることを識別し、この干渉状態更新メッセージが含むパラメータタイプとして、２つのダウンリンクＲＳＲＰ境界値に続いていると識別し、ダウンリンクＲＳＲＰ境界値を読み出してＡセル識別子に記憶し、計算パラメータは、以下を含む。
セルＡの状態：干渉；
セルＡのダウンリンクＲＳＲＰ境界値の数：２；
セルＡのダウンリンクＲＳＲＰ境界値Ｒ（Ｖｏｉｃｅ）及びＲ（Ｄａｔａ）；
【００８４】
シナリオ３.セルＡの移出決定（候補ハンドオーバ先セルのスクリーニング）。
このシナリオでは、セルＡ及びＢは、シナリオ１における自身の干渉状態の更新と、シナリオ２における隣接セルの干渉状態情報の更新とを完了しており、セルＡ、Ｂ、Ｃ、Ｄは互いに隣接セルであるので、すべて隣接セルの干渉状態情報の更新を行っている。セルＢ、Ｃ、Ｄの候補セルとなる優先順位は、Ｂ、Ｃ、Ｄである。セルＡ内のＵＥ−Ａ１を移出することが決定される。
図７に示すように、方法は、ステップＳ６０１〜ステップＳ６０７を含む。
ステップＳ６０１では、ＵＥ−Ａ１による隣接セルＢ、Ｃ、Ｄへの測定報告情報を取得する。
ステップＳ６０２では、各隣接セル識別子に記憶された干渉状態を読み出したところ、セルＢは干渉セルであり、セルＣ、Ｄは通常セルである。
ステップＳ６０３では、セルＢ識別子に記憶されたパラメータをチェックし、記憶されたパラメータが通常及びエリア境界値を計算するための計算パラメータである場合、ステップＳ６０４及びステップＳ６０５を実行し、記憶されたパラメータがダウンリンクＲＳＲＰ境界値である場合、ステップＳ６０６及びステップＳ６０７を実行する。
ステップＳ６０４では、ＵＥ−Ａ１（データトラフィック）のＰｃｍａｘ−Ａ１と保存されているセルＢの計算パラメータとを用いて、ＵＥ−Ａ１に関するセルＢのダウンリンクＲＳＲＰ境界値（データ）を計算した結果、Ｒ−Ｂ−Ａ１（Ｄａｔａ）である。
ステップＳ６０５では、ＵＥ−Ａ１によるセルＢのダウンリンクＲＳＲＰ測定値ＲＳＲＰ−Ｂ−Ａ１をＲ−Ｂ−Ａ１（Ｄａｔａ）と比較し、ＲＳＲＰ−Ｂ−Ａ１＜Ｒ−Ｂ−Ａ１（Ｄａｔａ）である場合、Ｂを候補ターゲットセルから除外する。
ステップＳ６０６では、セルＢ識別子に記憶されたダウンリンクＲＳＲＰ境界値（データ）を取得してＲ−Ｂ（Ｄａｔａ）とする。
ステップＳ６０７では、ＵＥ−Ａ１によるセルＢのダウンリンクＲＳＲＰ測定値ＲＳＲＰ−Ｂ−Ａ１をＲ−Ｂ（Ｄａｔａ）と比較し、ＲＳＲＰ−Ｂ−Ａ１＜Ｒ−Ｂである場合、Ｂを候補ターゲットセルから除外する。
このシナリオでは、セルＢを候補ターゲットセルから除外する場合、通常のハンドオーバ判定手順にしたがって通常セルＣ、Ｄで意思決定を行い、そうでない場合、通常のハンドオーバ判定手順にしたがってセルＢと通常セルＣ、Ｄで意思決定を行う。
【００８５】
シナリオ４.セルＣのＵＥ−Ｃ１は、移出のために、ハンドオーバ意思決定を開始させる。
このシナリオでは、セルＣ、Ｄは通常セルであり、セルＡ、Ｂは干渉セルであり、セルＡ、Ｂ、Ｃ、Ｄは、シナリオ１とシナリオ２における自セルの干渉状態の更新と隣接セルの干渉状態情報の更新とを完了している。
図８に示すように、方法の手順は、ステップＳ７０１〜ステップＳ７０７を含む。
ステップＳ７０１では、ＵＥ−Ｃ１による隣接セルＡ、Ｂ、Ｄへの測定報告情報を取得し、自ＵＥによる隣接セルＡ、Ｂ、Ｄの測定値をＲＳＲＰ−Ａ−Ｃ１、ＲＳＲＰ−Ｂ−Ｃ１、ＲＳＲＰ−Ｄ−Ｃ１として記録する。
このステップでは、ＵＥ−Ｃ１による隣接セルＡ、Ｂ、Ｄの測定報告情報を確認することによって、隣接セルＡ、Ｂ、Ｄが候補ハンドオーバ先セルであり、優先度がＡ、Ｂ、Ｄであることを確認することができる。
ステップＳ７０２では、各隣接セル識別子に記憶された干渉状態を読み出したところ、セルＡ、Ｂは干渉セルであり、セルＤは通常セルである。
ステップＳ７０３では、干渉セル識別子に記憶されたパラメータをチェックし、記憶されたパラメータが通常エリア及びエリア境界値を計算するための計算パラメータである場合、ステップＳ７０４及びステップＳ７０５を実行し、記憶されたパラメータがダウンリンクＲＳＲＰ境界値である場合、ステップＳ７０６及びステップＳ７０７を実行する。
ステップＳ７０４では、ＵＥ−Ｃ１（データトラフィック）のＰｃｍａｘ−Ｃ１と、保存されている干渉セルの計算パラメータとを用いて、ＵＥ−Ｃ１に対する干渉セルのダウンリンクＲＳＲＰ境界値（データ）を計算した結果、Ｒ−干渉セル−Ｃ１（Ｄａｔａ）である。
ステップＳ７０５では、ＵＥ−Ｃ１による干渉セルのダウンリンクＲＳＲＰ測定値ＲＳＲＰ−干渉セル−Ｃ１をＲ−干渉セル−Ｃ１（Ｄａｔａ）と比較し、ＲＳＲＰ−干渉セル−Ｃ１＜Ｒ−干渉セル−Ｃ１（Ｄａｔａ）である場合、干渉セルを候補ターゲットセルから除外する。
ステップＳ７０６では、干渉セル識別子に記憶されたダウンリンクＲＳＲＰ境界値（Ｄａｔａ）を取得し、Ｒ−干渉セル（Ｄａｔａ）とする。
ステップＳ７０７では、ＵＥ−Ｃ１による干渉セルのダウンリンクＲＳＲＰ測定値ＲＳＲＰ−干渉セル−Ｃ１をＲ−干渉セル（Ｄａｔａ）と比較し、ＲＳＲＰ−干渉セル−Ｃ１＜Ｒ−干渉セル（Ｄａｔａ）である場合、（Ｄａｔａ）を候補ターゲットセルから除外する。
セルＡの意思決定を例とする。セルＣは、Ａが干渉セルであることを検出すると、ＵＥ−Ｃ１のトラフィックタイプがデータタイプであることと組み合わせて、セルＡのＲ−Ａ−Ｃ１（ｄａｔａ）（すなわち、ＵＥ−Ｃ１のＰＣｍａｘから得られたセルＡのダウンデータＲＳＲＰ境界値）又はＲ−Ａ（ｄａｔａ）（すなわち、バックグラウンドで設定されたＰＣｍａｘから得られたセルＡのダウンデータＲＳＲＰ境界値）を取得し、ＲＳＲＰ−Ａ−Ｃ１と比較する。ＲＳＲＰ−Ａ−Ｃ１＜Ｒ−Ａ−Ｃ１（ｄａｔａ）の場合（ＵＥのＰｃｍａｘを用いて計算）、又はＲＳＲＰ−Ａ−Ｃ１＜Ｒ−Ａ（ｄａｔａ）の場合（バックグラウンドのＰｃｍａｘを用いて計算）、候補ターゲットセルからＡを除外する。
以上のステップを繰り返し、セルＢを除外するか否かを判定する。
以上のステップを経て、候補ターゲットセルの集合が｛Ａ,Ｂ,Ｄ｝又は｛Ａ,Ｄ｝又は｛Ｂ、Ｄ｝又は｛Ｄ｝であってもよく、集合が｛Ｄ｝であれば、ハンドオーバ先セルとしてＤを直接選択する。集合が｛Ｄ｝ではない場合、基地局が正常な状態である場合の手順に従って、次のスクリーニングを行い、ハンドオーバ先セルを選択する。
【００８６】
シナリオ５．セルＤは、他のセルによって開始されたハンドオーバ要求を受け入れるか否かを決定する。
このシナリオでは、セルＤは正常状態セルであり、セルＣは、ＵＥ−Ｃ１がセルＤへのハンドオーバを開始させることを決定している。最近は大気ダクトが頻繁に発生しているので、セルＣがセルＤに向けて開始させるハンドオーバ要求メッセージには、干渉の一時的な発生を防ぐために、ＵＥ−Ｃ１のＰｃｍａｘ−ＵＥＣ１及びＵＥ−Ｃ１によるセルＤへのダウンリングＲＳＲＰ測定値ＲＳＲＰ−Ｄ−Ｃ１が含まれている。
図９に示すように、方法の手順は、ステップＳ８０１〜ステップＳ８０４を含む。
ステップＳ８０１では、自セルの基地局ベースバンドによる干渉セルに更新する旨の通知、及びＵＥ−Ｃ１によって開始させたハンドオーバ要求を受信する。
ステップＳ８０２では、自セルのダウンリンクＲＳＲＰ境界値の計算パラメータとＵＥ−Ｃ１の相関パラメータとを取得する。
ここで、ダウンリンクＲＳＲＰ境界値の計算パラメータは、自セルのＲＳ電力、ＡｎｔＮｕｍ、ＳＩＮＲｔｒａｆｆｉｃ（データ）、ＮＩ値、及び大気ダクトタイプ補償Ａｔｍｏｓｐｈｅｒｉｃ  Ｄｅｆａｕｌｔ  Ｐａｒａｍｅｔｅｒを含む。
ＵＥ−Ｃ１の関連パラメータは、ＵＥ−Ｃ１のＰｃｍａｘ、トラフィックタイプがデータであること、ＵＥ−Ｃ１によって報告されたダウンリンクＲＳＲＰ測定値ＲＳＲＰ−Ｄ−Ｃ１を含む。
ステップＳ８０３では、自セルのＵＥ−Ｃ１に対するダウンリンクＲＳＲＰ境界値Ｒ−Ｄ−Ｃ１（Ｄａｔａ）を算出する。
ステップＳ８０４では、ＲＳＲＰ−Ｄ−Ｃ１とＲ−Ｄ−Ｃ１（Ｄａｔａ）とを比較し、ＲＳＲＰ−Ｄ−Ｃ１＜Ｒ−Ｄ−Ｃ１（Ｄａｔａ）である場合、ハンドオーバを拒否し、ＲＳＲＰ−Ｄ−Ｃ１＞＝Ｒ−Ｄ−Ｃ１（Ｄａｔａ）である場合、ハンドオーバを受け入れる。
【００８７】
シナリオ６．アップリンク干渉が解消し、干渉セルは自身の干渉状態を更新し、その旨を隣接セルに通知する。
このシナリオでは、基地局は、大気ダクト干渉が解消したことを検出し、基地局ベースバンドは、元々大気ダクト干渉がカバーするすべてのセル、本シナリオではセルＡとセルＢにその旨を通知し、以下、セルＡを例に説明する。
【００８８】
図１０に示すように、方法の手順は、ステップＳ９０１〜ステップＳ９０４を含む。
【００８９】
ステップＳ９０１では、基地局ベースバンドによって送信されたアップリンク干渉解消メッセージを受信する。
【００９０】
ステップＳ９０２では、干渉状態を正常に更新し、ダウンリンクＲＳＲＰ境界値に関する計算パラメータを無効にリセットする。
【００９１】
ステップＳ９０３では、Ｘ２干渉状態更新メッセージを入力し、メッセージのコンテンツは以下を含む。
状態：正常
パラメータタイプ：なし。
【００９２】
ステップＳ９０４では、隣接セルＢ、Ｃ、Ｄに干渉状態更新メッセージを送信する。
【００９３】
このとき、隣接セルＢ、Ｃ、Ｄは、セルＡの干渉状態更新メッセージを受信すると、セルＡの状態が通常セルであることを識別し、自セル状態を更新し、セルＡの全ての通常エリア境界の計算パラメータを無効にリセットする。
【００９４】
本実施例の干渉処理方法は、自セルがアップリンク干渉を受けていることを検出すると、自セルのダウンリンクＲＳＲＰ境界値を計算することによって、自身の通常エリアと干渉エリアを特定し、干渉エリア（この干渉エリア内のユーザのエクスペリエンスが悪い）内のＵＥを、ハンドオーバ方式で適時に移出させ、前記通常エリア境界外にある、自セルにハンドオーバすべきＵＥのハンドオーバ要求を拒否し、これにより、ＵＥは、自セルのアップリンク干渉の影響を回避することができ、アップリンク干渉でのハンドオーバ成功率及びユーザのエクスペリエンスを向上させるだけでなく、干渉セルの通常エリアを最大限に利用することができる。
【００９５】
本発明の実施例４は、干渉処理装置を提供し、図１１に示すように、この装置は、メモリ１１０１と、プロセッサ１１０２と、前記メモリ上に記憶され、前記プロセッサ上で実行可能なコンピュータプログラムとを備え、前記コンピュータプログラムは、前記プロセッサによって実行されると、実施例１、実施例２、又は実施例３の方法を実現する。
【００９６】
本実施例の干渉処理装置は、自セルがアップリンク干渉を受けていることを検出すると、自セルのダウンリンクＲＳＲＰ境界値を計算することによって、自身の通常エリアと干渉エリアを特定し、干渉エリア（この干渉エリアのユーザエクスペリエンスが悪い）内のＵＥを、ハンドオーバ方式で適時に移出させ、この通常エリア境界外にある、自セルにハンドオーバすべきＵＥのハンドオーバ要求を拒否し、これにより、ＵＥは、自セルのアップリンク干渉の影響を回避することができ、アップリンク干渉でのハンドオーバ成功率及びユーザのエクスペリエンスを向上させるだけでなく、干渉セルの通常エリアを最大限に利用することができる。
【００９７】
本発明の実施例４は、干渉処理システムを提供し、図１２に示すように、このシステムは、少なくとも１つの基地局１２０１と、この基地局のセル内に配置された干渉処理装置１２０２とを含む。
【００９８】
この基地局１２０１は、自基地局のセルの干渉検出を行い、アップリンク干渉を受けているセルを検出すると、基地局ベースバンドを介して干渉セルの干渉処理装置にアップリンク干渉メッセージを送信し、
この干渉処理装置１２０２は、自セルの基地局ベースバンドを介して送信されたアップリンク干渉メッセージを受信すると、干渉ＵＥを隣接セルに移動するように構成されている。
【００９９】
この干渉処理装置１２０２は、上記した実施例３のアップリンク干渉装置を採用することができるので、ここでは詳しく説明しない。
【０１００】
本実施例の干渉処理システムは、基地局が干渉を防止することに加えて、干渉セルであることを高層セルにも通知し、このようにして、自セルがアップリンク干渉を受けていることを知ったときに、自セルのダウンリンクＲＳＲＰ境界値を計算することによって、自身の通常エリアと干渉エリアを特定し、干渉エリア（この干渉エリアのユーザエクスペリエンスが悪い）内のＵＥを、ハンドオーバ方式で適時に移出させ、この通常エリア境界外にある、自セルにハンドオーバすべきＵＥのハンドオーバ要求を拒否し、これにより、ＵＥは、自セルのアップリンク干渉の影響を回避することができ、アップリンク干渉でのハンドオーバ成功率及びユーザのエクスペリエンスを向上させるだけでなく、干渉セルの通常エリアを最大限に利用することができる。
【０１０１】
本発明の実施例５は、プログラムが記憶された記憶媒体を提供し、このプログラムは、実行されると、この記憶媒体を含む機器を制御して、実施例１、実施例２、又は実施例３の操作を実行させる。
【０１０２】
当業者が理解できるように、以上で開示された方法の全部又は一部のステップ、システム、装置の機能モジュール／ユニットが、ソフトウェア、ファームウェア、ハードウェア、及びそれらの適切な組み合わせとして実現され得る。ハードウェアの実施形態では、上記した機能モジュール／ユニット間の分割は、必ずしも物理コンポーネントの分割に対応するとは限らず、たとえば、１つの物理コンポーネントが複数の機能を有してもよく、又は、１つの機能又はステップが複数の物理コンポーネントによって協働して実行されてもよい。物理コンポーネントのいくつか又はすべては、中央プロセッサ、デジタル信号プロセッサ、又はマイクロプロセッサなどのプロセッサによって実行されるソフトウェアとして、又はハードウェアとして、又は特定用途向け集積回路などの集積回路として実装され得る。そのようなソフトウェアは、コンピュータ記憶媒体（又は非一時的媒体）及び通信媒体（又は一時的媒体）を含むコンピュータ読み取り可能な媒体上に配布することができる。当業者に公知のように、コンピュータ記憶媒体という用語は、情報（コンピュータ読み取り可能な命令、データ構造、プログラムモジュール、又は他のデータなど）を記憶するための任意の方法又は技術において実装される揮発性媒体及び不揮発性媒体、取り外し可能媒体及び取り外し不可能媒体を含む。コンピュータ記憶媒体は、ランダムアクセスメモリ（Ｒａｎｄｏｍ−Ａｃｃｅｓｓ  Ｍｅｍｏｒｙ、ＲＡＭ）、リードオンリーメモリ（Ｒｅａｄ−Ｏｎｌｙ  Ｍｅｍｏｒｙ、ＲＯＭ）、電気的消去可能プログラマブル読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、フラッシュメモリ又は他のメモリ技術、コンパクトディスク読み出し専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）、デジタル多用途ディスク（Ｄｉｇｉｔａｌ  Ｖｅｒｓａｔｉｌｅ  Ｄｉｓｃ、ＤＶＤ）又は他の光ディスクストレージデバイス、磁気カセット、磁気テープ、磁気ディスクストレージデバイス又は他の磁気ストレージデバイス、又は所望の情報を保存でき、コンピュータによってアクセスすることができる他の任意の媒体を含むが、これらに限定されない。さらに、当業者に公知のように、通信媒体は、通常、コンピュータ読み取り可能な命令、データ構造、プログラムモジュール、又は搬送波又は他の送信機構のような変調データ信号中の他のデータを含み、また、任意の情報配信媒体を含むことができる。
【図１】
2021519036.tif 000003
【図２】
2021519036.tif 000004
【図３】
2021519036.tif 000005
【図４】
2021519036.tif 000006
【図５】
2021519036.tif 000007
【図６】
2021519036.tif 000008
【図７】
2021519036.tif 000009
【図８】
2021519036.tif 000010
【図９】
2021519036.tif 000011
【図１０】
2021519036.tif 000012
【図１１】
2021519036.tif 000013
【図１２】
2021519036.tif 000014
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
第１の通信ノードに適用される干渉処理方法であって、
セルのダウンリンク基準信号受信電力ＲＳＲＰ境界値を決定するステップと、
ユーザ機器ＵＥによって報告されたダウンリンクＲＳＲＰ測定値を受信するステップと、
前記ダウンリンクＲＳＲＰ測定値が前記ダウンリンクＲＳＲＰ境界値よりも小さい場合、前記ＵＥをセルから移出するステップと、を含む干渉処理方法。
【請求項２】
セルのダウンリンク基準信号受信電力ＲＳＲＰ境界値を決定する前記ステップは、
前記セルのダウンリンク基準信号送信電力、ＵＥの最大アップリンク送信電力、雑音干渉電力、前記セルの受信アンテナ数、最小受信信号対干渉雑音比、及び予め設定された補償パラメータに基づいて、前記セルのダウンリンクＲＳＲＰ境界値を決定するするステップを含む、請求項１に記載の方法。
【請求項３】
前記ダウンリンクＲＳＲＰ境界値は、音声トラフィックのダウンリンクＲＳＲＰ境界値及びデータトラフィックのダウンリンクＲＳＲＰ境界値の少なくとも１つを含む、請求項１に記載の方法。
【請求項４】
ダウンリンクＲＳＲＰ境界値が音声トラフィックのダウンリンクＲＳＲＰ境界値を含む場合、前記最小受信信号対干渉雑音比は、音声トラフィックを送信する最小受信信号対干渉雑音比である、又は
ダウンリンクＲＳＲＰ境界値がデータトラフィックのみのダウンリンクＲＳＲＰ境界値を含む場合、前記最小受信信号対干渉雑音比は、データトラフィックを送信する最小受信信号対干渉雑音比である、請求項２に記載の方法。
【請求項５】
隣接セルの干渉状態メッセージを受信し、前記隣接セルのダウンリンクＲＳＲＰ境界値を決定するステップと、
前記ＵＥによって報告された隣接セルのダウンリンクＲＳＲＰ測定値が前記隣接セルのダウンリンクＲＳＲＰ境界値以上である場合、前記隣接セルを前記ＵＥの候補ターゲットセルとするステップと、をさらに含む、請求項１に記載の方法。
【請求項６】
前記隣接セルの干渉状態メッセージは、前記隣接セルのダウンリンクＲＳＲＰ境界値を含む、又は
前記隣接セルの干渉状態メッセージは、前記隣接セルのダウンリンクＲＳＲＰ境界値を計算するためのパラメータを含む、請求項５に記載の方法。
【請求項７】
前記セルのダウンリンクＲＳＲＰ境界値又は前記セルのダウンリンクＲＳＲＰ境界値を計算するためのパラメータを含む干渉状態メッセージを前記隣接セルに送信するステップをさらに含む、請求項１〜６のいずれか１項に記載の方法。
【請求項８】
第１の通信ノードに適用される干渉処理方法であって、
セルのダウンリンク基準信号受信電力ＲＳＲＰ境界値を決定するステップと、
前記セルにハンドオーバすべきユーザ機器ＵＥによって報告された前記セルのダウンリンクＲＳＲＰ測定値が前記ダウンリンクＲＳＲＰ境界値よりも小さい場合、前記ＵＥのハンドオーバ要求を拒否するステップをさらに含む、干渉処理方法。
【請求項９】
メモリと、プロセッサと、前記メモリ上に記憶され、前記プロセッサ上で実行可能なコンピュータプログラムとを備え、前記プロセッサは、前記コンピュータプログラムを実行すると、請求項１〜８のいずれか１項に記載の方法を実現するように構成される干渉処理装置。
【請求項１０】
少なくとも１つのプロセッサによって実行されると、請求項１〜８のいずれか１項に記載の方法を実現する少なくとも１つのプログラムが記憶された記憶媒体。
【手続補正２】
【補正対象書類名】明細書
【補正対象項目名】００３７
【補正方法】変更
【補正の内容】
【００３７】
実際の応用では、本方法は、ステップＳ１０２を実行する前に、
この自セルのＵＥによって報告された自セルのダウンリンクＲＳＲＰ測定値を取得するステップと、
この自セルのＵＥに音声トラフィックが存在する場合、例えば、音声トラフィックとデータトラフィックが同時に存在する場合又は音声トラフィックのみが存在する場合、このダウンリンクＲＳＲＰ測定値がＲＳＲＰ音声よりも小さいか否かを判断するステップと、
このダウンリンクＲＳＲＰ測定値がＲＳＲＰ音声よりも小さい場合、この自セルのＵＥがこの通常エリア境界外にあると判定するステップと、
この自セルのＵＥに音声トラフィックがなくデータトラフィックのみが存在する場合、このダウンリンクＲＳＲＰ測定値がこのＲＳＲＰデータよりも小さいか否かを判断するステップと、
このダウンリンクＲＳＲＰ測定値がこのＲＳＲＰデータよりも小さい場合、この自セルのＵＥがこの通常エリア境界外にあると判定するステップと、を含む。
【手続補正３】
【補正対象書類名】明細書
【補正対象項目名】００４９
【補正方法】変更
【補正の内容】
【００４９】
ＵＥにデータトラフィックのみが存在する場合、計算パラメータを上記式に代入して、この干渉隣接セルのダウンリンクＲＳＲＰ境界値（データ）を算出し、ここで、計算するパラメータは、干渉隣接セルのＲＳ電力、ＮＩ、ＡｎｔＮｕｍ、ＳＩＮＲｔｒａｆｆｉｃ（データ）及び移出すべきＵＥのＰｃｍａｘを含む。
【手続補正４】
【補正対象書類名】明細書
【補正対象項目名】００５１
【補正方法】変更
【補正の内容】
【００５１】
一実施例では、移出すべきＵＥがこの隣接セルのダウンリンクＲＳＲＰ境界値内にあるか否かを判断することは、
移出すべきＵＥによってこの干渉隣接セルの測定について報告されたＲＳＲＰ測定値を取得することと、
移出すべきＵＥのトラフィックタイプを判断することと、
移出すべきＵＥに音声トラフィックが存在する場合、
移出すべきＵＥによって報告されたダウンリンクＲＳＲＰ測定値＞＝干渉隣接セルのダウンリンクＲＳＲＰ境界値（音声）である場合、移出すべきＵＥがこの隣接セルの通常エリア（音声）のカバレッジ内にあることを示し、この場合、後続のハンドオーバターゲットセルとすることができる。そうでない場合、移出すべきＵＥが干渉エリア内にあることを示し、この干渉された隣接セルを候補ターゲットセルとして使用せず、
たとえば、図３に示すように、移出すべきＵＥが隣接セルの通常エリア内にある場合、その隣接セルを後続のハンドオーバ先セルとし、移出すべきＵＥが隣接セルの干渉エリア内にある場合、干渉隣接セルを候補ターゲットセルとして使用せず、
ＵＥに音声トラフィックがない場合、
移出すべきＵＥによって報告されたダウンリンクＲＳＲＰ測定値＞＝干渉する隣接セルのダウンリンクＲＳＲＰ境界値（データ）である場合、移出すべきＵＥがこの干渉隣接セルの通常エリア（データ）のカバレッジ内にあることを示し、この場合、後続のハンドオーバターゲットセルとすることができる。そうでない場合、移出すべきＵＥが干渉エリア内にあることを示し、干渉隣接セルを候補ターゲットセルとして使用しないことと、を含む。
【手続補正５】
【補正対象書類名】明細書
【補正対象項目名】００７３
【補正方法】変更
【補正の内容】
【００７３】
ハンドオーバすべきＵＥが音声トラフィックである場合、この干渉セルの最小受信信号対干渉雑音比ＳＩＮＲｔｒａｆｆｉｃ（音声）を取得し、ハンドオーバすべきＵＥがデータトラフィックである場合、この干渉セルの最小受信信号対干渉雑音比ＳＩＮＲｔｒａｆｆｉｃ（データ）を取得する。
【手続補正６】
【補正対象書類名】明細書
【補正対象項目名】００８４
【補正方法】変更
【補正の内容】
【００８４】
シナリオ３.セルＡの移出決定（候補ハンドオーバ先セルのスクリーニング）。
このシナリオでは、セルＡ及びＢは、シナリオ１における自身の干渉状態の更新と、シナリオ２における隣接セルの干渉状態情報の更新とを完了しており、セルＡ、Ｂ、Ｃ、Ｄは互いに隣接セルであるので、すべて隣接セルの干渉状態情報の更新を行っている。セルＢ、Ｃ、Ｄの候補セルとなる優先順位は、Ｂ、Ｃ、Ｄである。セルＡ内のＵＥ−Ａ１を移出することが決定される。
図７に示すように、方法は、ステップＳ６０１〜ステップＳ６０７を含む。
ステップＳ６０１では、ＵＥ−Ａ１による隣接セルＢ、Ｃ、Ｄへの測定報告情報を取得する。
ステップＳ６０２では、各隣接セル識別子に記憶された干渉状態を読み出したところ、セルＢは干渉セルであり、セルＣ、Ｄは通常セルである。
ステップＳ６０３では、セルＢ識別子に記憶されたパラメータをチェックし、記憶されたパラメータが通常エリア境界値を計算するための計算パラメータである場合、ステップＳ６０４及びステップＳ６０５を実行し、記憶されたパラメータがダウンリンクＲＳＲＰ境界値である場合、ステップＳ６０６及びステップＳ６０７を実行する。
ステップＳ６０４では、ＵＥ−Ａ１（データトラフィック）のＰｃｍａｘ−Ａ１と保存されているセルＢの計算パラメータとを用いて、ＵＥ−Ａ１に関するセルＢのダウンリンクＲＳＲＰ境界値（データ）を計算した結果、Ｒ−Ｂ−Ａ１（Ｄａｔａ）である。
ステップＳ６０５では、ＵＥ−Ａ１によるセルＢのダウンリンクＲＳＲＰ測定値ＲＳＲＰ−Ｂ−Ａ１をＲ−Ｂ−Ａ１（Ｄａｔａ）と比較し、ＲＳＲＰ−Ｂ−Ａ１＜Ｒ−Ｂ−Ａ１（Ｄａｔａ）である場合、Ｂを候補ターゲットセルから除外する。
ステップＳ６０６では、セルＢ識別子に記憶されたダウンリンクＲＳＲＰ境界値（データ）を取得してＲ−Ｂ（Ｄａｔａ）とする。
ステップＳ６０７では、ＵＥ−Ａ１によるセルＢのダウンリンクＲＳＲＰ測定値ＲＳＲＰ−Ｂ−Ａ１をＲ−Ｂ（Ｄａｔａ）と比較し、ＲＳＲＰ−Ｂ−Ａ１＜Ｒ−Ｂである場合、Ｂを候補ターゲットセルから除外する。
このシナリオでは、セルＢを候補ターゲットセルから除外する場合、通常のハンドオーバ判定手順にしたがって通常セルＣ、Ｄで意思決定を行い、そうでない場合、通常のハンドオーバ判定手順にしたがってセルＢと通常セルＣ、Ｄで意思決定を行う。
【手続補正７】
【補正対象書類名】明細書
【補正対象項目名】００８５
【補正方法】変更
【補正の内容】
【００８５】
シナリオ４.セルＣのＵＥ−Ｃ１は、移出のために、ハンドオーバ意思決定を開始させる。
このシナリオでは、セルＣ、Ｄは通常セルであり、セルＡ、Ｂは干渉セルであり、セルＡ、Ｂ、Ｃ、Ｄは、シナリオ１とシナリオ２における自セルの干渉状態の更新と隣接セルの干渉状態情報の更新とを完了している。
図８に示すように、方法の手順は、ステップＳ７０１〜ステップＳ７０７を含む。
ステップＳ７０１では、ＵＥ−Ｃ１による隣接セルＡ、Ｂ、Ｄへの測定報告情報を取得し、自ＵＥによる隣接セルＡ、Ｂ、Ｄの測定値をＲＳＲＰ−Ａ−Ｃ１、ＲＳＲＰ−Ｂ−Ｃ１、ＲＳＲＰ−Ｄ−Ｃ１として記録する。
このステップでは、ＵＥ−Ｃ１による隣接セルＡ、Ｂ、Ｄの測定報告情報を確認することによって、隣接セルＡ、Ｂ、Ｄが候補ハンドオーバ先セルであり、優先度がＡ、Ｂ、Ｄであることを確認することができる。
ステップＳ７０２では、各隣接セル識別子に記憶された干渉状態を読み出したところ、セルＡ、Ｂは干渉セルであり、セルＤは通常セルである。
ステップＳ７０３では、干渉セル識別子に記憶されたパラメータをチェックし、記憶されたパラメータが通常エリア及びエリア境界値を計算するための計算パラメータである場合、ステップＳ７０４及びステップＳ７０５を実行し、記憶されたパラメータがダウンリンクＲＳＲＰ境界値である場合、ステップＳ７０６及びステップＳ７０７を実行する。
ステップＳ７０４では、ＵＥ−Ｃ１（データトラフィック）のＰｃｍａｘ−Ｃ１と、保存されている干渉セルの計算パラメータとを用いて、ＵＥ−Ｃ１に対する干渉セルのダウンリンクＲＳＲＰ境界値（データ）を計算した結果、Ｒ−干渉セル−Ｃ１（Ｄａｔａ）である。
ステップＳ７０５では、ＵＥ−Ｃ１による干渉セルのダウンリンクＲＳＲＰ測定値ＲＳＲＰ−干渉セル−Ｃ１をＲ−干渉セル−Ｃ１（Ｄａｔａ）と比較し、ＲＳＲＰ−干渉セル−Ｃ１＜Ｒ−干渉セル−Ｃ１（Ｄａｔａ）である場合、干渉セルを候補ターゲットセルから除外する。
ステップＳ７０６では、干渉セル識別子に記憶されたダウンリンクＲＳＲＰ境界値（Ｄａｔａ）を取得し、Ｒ−干渉セル（Ｄａｔａ）とする。
ステップＳ７０７では、ＵＥ−Ｃ１による干渉セルのダウンリンクＲＳＲＰ測定値ＲＳＲＰ−干渉セル−Ｃ１をＲ−干渉セル（Ｄａｔａ）と比較し、ＲＳＲＰ−干渉セル−Ｃ１＜Ｒ−干渉セル（Ｄａｔａ）である場合、干渉セルを候補ターゲットセルから除外する。
セルＡの意思決定を例とする。セルＣは、Ａが干渉セルであることを検出すると、ＵＥ−Ｃ１のトラフィックタイプがデータタイプであることと組み合わせて、セルＡのＲ−Ａ−Ｃ１（ｄａｔａ）（すなわち、ＵＥ−Ｃ１のＰＣｍａｘから得られたセルＡのダウンデータＲＳＲＰ境界値）又はＲ−Ａ（ｄａｔａ）（すなわち、バックグラウンドで設定されたＰＣｍａｘから得られたセルＡのダウンデータＲＳＲＰ境界値）を取得し、ＲＳＲＰ−Ａ−Ｃ１と比較する。ＲＳＲＰ−Ａ−Ｃ１＜Ｒ−Ａ−Ｃ１（ｄａｔａ）の場合（ＵＥのＰｃｍａｘを用いて計算）、又はＲＳＲＰ−Ａ−Ｃ１＜Ｒ−Ａ（ｄａｔａ）の場合（バックグラウンドのＰｃｍａｘを用いて計算）、候補ターゲットセルからＡを除外する。
以上のステップを繰り返し、セルＢを除外するか否かを判定する。
以上のステップを経て、候補ターゲットセルの集合が｛Ａ,Ｂ,Ｄ｝又は｛Ａ,Ｄ｝又は｛Ｂ、Ｄ｝又は｛Ｄ｝であってもよく、集合が｛Ｄ｝であれば、ハンドオーバ先セルとしてＤを直接選択する。集合が｛Ｄ｝ではない場合、基地局が正常な状態である場合の手順に従って、次のスクリーニングを行い、ハンドオーバ先セルを選択する。
【国際調査報告】
2021519036.tif 000015
2021519036.tif 000016
2021519036.tif 000017
2021519036.tif 000018